(57)【特許請求の範囲】
【請求項１】
ケースの底面に商品の押し出し方向に沿って形成される溝状の開口部より成るレール部と、前記レール部の開口部の対向する２辺のケースに摺動可能に係合する凹形状の一対のレール摺動部を持つ押し板と、巻きぐせが付けられた渦巻状の巻回部を有する板ばねであって前記押し板を前記レール部に沿って前記商品の押し出し方向へ付勢するばねとを有し、前記ばねの前記巻回部が前記押し板の背面部に配置されると共に、前記巻回部から引き出された前記ばねの一端部が前記押し板の下端部を通り、前記レール部の前記商品の押し出し方向の端部又はその近傍部に固定されており、
前記押し板の下端部に前記ばねと当接する上向力点部が形成され、前記上向力点部に、前記ばねの前記巻回部から引き出され曲線状となっている巻き出し部が当接するようにし、
前記押し板の前面部に、その上下方向の中央部に凸状部が形成され、
前記押し板の背面部に、その上端部よりも下方の部分であって、縦方向に形成の一対の補強部のそれぞれに外側へ立設したリブにより指掛け部が形成されたことを特徴とする商品前出し陳列装置。
【請求項２】
前記押し板に形成され前記レール部と摺動するレール摺動部が、断面視で前記レール部と点接触する形状となっていることを特徴とする請求項１に記載の商品前出し陳列装置。
【発明の詳細な説明】
【技術分野】
【０００１】
本発明は、陳列された商品を後方から前方へ押し出す働きをし、商品を取り出す毎に後方から残りの商品を押し出す商品前出し陳列装置に関する。
【背景技術】
【０００２】
陳列商品の押し出し装置として、様々な構造が開示されている。例えば、特許文献１においては、商品を押し出す手段として渦巻状の板ばねを用いて商品保持具を前方へスライドさせて、商品を前方へ順次押し出す構造が開示されている。また、本願出願人は、上記特許文献１に記載の構造の問題点を解決するものとして、特許文献２、特許文献３に開示される構造を開発しており、これらの文献において、レール部と、レール部に摺動可能に係合する押し板と、押し板をレール部の一端側へ向かって付勢するばねとを有し、ばねにより前方に加圧される押し板により、商品を前方に押し出す基本的な構造が開示されている。
【０００３】
上記従来構造においては、ばねの渦巻状の巻回部が押し板の背面側に配置されると共に、ばねの巻回部から引き出された一端部が、レール部の端部に固定されることにより、ばねの力を押し板に伝達するようになされている。このような構造のため、ばねの巻回部から一端部までの間の部分が、必ず押し板のどこかを貫通又は迂回することとなる。図１３において、上記従来構造におけるばね１００の貫通構造が示されている。図１３は、押し板１０１がレール部１０２に係合した状態を示しており、面１０３は商品と対面する面である。この図１３に示すように、押し板１０１の下端近傍部には、押し板１０１の背面側から前面１０３側まで貫通する通孔１０４が形成されており、この通孔１０４をばね１００が貫通するようになされている。そして、このばね１００の通孔１０４を貫通する部分は、図１０において、１１ｃで示す部分に相当する。ばねは、巻回部１１ａと一端部１１ｂとの間において、直線部１１ｃと巻き出し部１１ｄとに区別することができる。巻き出し部１１ｄは、巻回部１１ａから直線部１１ｃの間の曲線形状を有する区間Ｌに相当し、上向きの圧力Ｆ1を発生する部分である。直線部１１ｃは、巻き出し部１１ｄから一端部１１ｂとの間の区間であり、圧力Ｆ1の如き上向きの圧力が発生しない（又はほとんど発生しない）部分である。
【特許文献１】特開昭５９−２１８１１３
【特許文献２】特開２００５−２３７５６６号公報
【特許文献３】実用新案登録第３１１５２８９号公報
【発明の開示】
【発明が解決しようとする課題】
【０００４】
上記のような構造を持つ陳列商品の押し出し装置においては、押し板に前出しする商品から押し戻そうとする力と同時に下向き、即ちレール部に押し付ける方向への圧力が加わる。この押し板にかかる下向きの圧力は、押し板とレール部との摩擦抵抗を増大させる原因となっている。また、押し板に対して前方にかかる圧力と後方にかかる圧力との力点の高低差により、押し板を前後に傾かせるモーメントが発生する。この押し板の傾きも、押し板の摺接部の前後の端部をレール部に強く当接させるため、摩擦抵抗を増大させる原因となっている。このように、従来の装置においては、押し板により商品を押し出す際、又は押し板を後方へ移動させる際の押し板の摺動性について、改善の余地があった。
【０００５】
そこで、本発明は、押し板とレール部との摩擦抵抗を低減させることにより、押し板の摺動性を向上させることを課題とするものである。
【課題を解決するための手段】
【０００６】
上記課題を解決するために、本発明は、ケースの底面に商品の押し出し方向に沿って形成される溝状の開口部より成るレール部と、前記レール部の開口部の対向する２辺のケースに摺動可能に係合する凹形状の一対のレール摺動部を持つ押し板と、巻きぐせが付けられた渦巻状の巻回部を有する板ばねであって前記押し板を前記レール部に沿って前記商品の押し出し方向へ付勢するばねとを有し、前記ばねの前記巻回部が前記押し板の背面部に配置されると共に、前記巻回部から引き出された前記ばねの一端部が前記押し板の下端部を通り、前記レール部の前記商品の押し出し方向の端部又はその近傍部に固定されており、前記押し板の下端部に前記ばねと当接する上向力点部が形成され、前記上向力点部に、前記ばねの前記巻回部から引き出され曲線形状となっている巻き出し部が当接するようにし、前記押し板の前面部に、その上下方向の中央部に凸状部が形成され、前記押し板の背面部に、その上端部よりも下方の部分であって、縦方向に形成の一対の補強部のそれぞれに外側へ立設したリブにより指掛け部が形成されたことを特徴とする商品前出し陳列装置。
【０００７】
本構成に使用されるばねは、その固定された一端部が存する方向（商品を押し出す方向又は前方）への圧力を発生させることはもちろん、繰り出された部分を巻回部へ巻き戻そうとする力によって、上向きの圧力を発生させることができる部分がある。本構成は、この上向きの圧力を利用し、押し板がレール部から浮き上がるようにすることにより、商品からの圧力や、押し板の傾き等に起因する下向きの圧力、即ち押し板をレール部に押し付ける力を相殺し、押し板とレール部との摩擦抵抗を軽減させることができるものである。これにより、押し板の摺動性を向上させることができる。
【０００８】
また、上記請求項１記載の構成において、前記押し板の下端部に前記ばねと当接する上向力点部が形成され、前記上向力点部に、前記ばねの前記巻回部から引き出され曲線形状となっている巻き出し部が当接することとしている。
【０００９】
この構成により、ばねによる上向きの力を、効率的に押し板に伝達することができる。
【００１０】
また、上記請求項１に記載の構成において、前記押し板の前面部に、その上下方向の中央部に凸状部が形成されている。
【００１１】
この構成によれば、ばねによる圧力は凸状部を介して商品に伝達されるので、押し板に多少の傾きが生じてもこれを吸収してばねによる圧力をスムーズに商品に伝達させることができると共に、ばねによる前方への圧力の力点と商品による後方への圧力の力点とが従来よりも近くなるので、押し板とレール部との摩擦抵抗を軽減することができる。
【００１２】
また、上記請求項１に記載の構成において、前記押し板の背面部に、その上端部よりも下方の部分であって、縦方向に形成の一対の補強部のそれぞれに外側へ立設したリブにより指掛け部が形成されている。
【００１３】
従来の押し板には、特に利用者の操作を補助する部分が形成されていなかったため、利用者は自然に押し板の上端部を摘んで押し板を後方へ移動させていたが、上記本構成によれば、利用者の押し板を摘む位置が自然に上端部よりも下方側となるため、この利用者の手による後方への圧力の力点が、ばねによる前方への圧力の力点に近くなり、押し板にかかるモーメントが従来よりも小さくなる。これにより、押し板がレール部に対して傾き難くなるので、押し板とレール部との摩擦抵抗を軽減することができる。
【００１４】
また、上記請求項１に記載の構成において、前記押し板に形成され前記レール部との摺接するレール摺接部が、断面視で前記レール部と点接触する形状であることが好ましい（請求項２）。ここでいう点接触する形状とは、押し板がどのような姿勢であっても、レール部と接触する各箇所において、点接触を可能にするものである。
【００１５】
この構成によれば、押し板のレール摺接部とレール部との間に、多くの隙間が形成されるようになり、これにより押し板とレール部との摩擦抵抗を軽減することができる。
【発明の効果】
【００１６】
上記本発明によれば、押し板とレール部との摩擦抵抗を、従来よりも大幅に軽減することができるので、押し板の摺動性を向上させることができると共に、従来よりも必要とされるばねの力が小さくなることにより、従来よりも小出力のばねを使用することが可能となる。また、小出力のばねを使用できるようになると、装置の小型化、低コスト化、省資源化等が可能となり、更に装置の操作性及び安全性を向上させることができる。更にまた、軟包装の商品をばねの力でへこませてしまうことを防止することができる。
【発明を実施するための最良の形態】
【００１７】
以下、添付した図面を参照して本発明の実施例を説明する。図１に示す本実施例に係る商品前出し陳列装置１は、ケース２と前出し器具３とから構成される。ケース２は、例えば透明の樹脂材からなる矩形状の部材であり、たばこ等の任意の商品４が収納される。前出し器具３は、ケース２の底面部に摺動可能に固定され、商品４を前方へ押し出す作用を奏するものである。
【００１８】
ケース２は、商品４の形状及び収納量に応じて適宜の大きさに形成され、その上面が開口されると共に、底面にレール部５、係止段差６、ばね固定部７、着脱開口部１５が形成されている。レール部５は、ケース２底面のほぼ中央部に長手方向、即ち商品の配列方向に沿って形成された溝状の開口部であり、前出し器具３の一部を構成する押し板１０を摺動可能に係合する部分である。係止段差６は、レール部５の後端近傍部に形成された段差であり、商品４の収納時等に押し板１０を係止させておくための部分である。ばね固定部７は、前出し器具３の一部を構成するばね１１の一端部を固定する部分である。着脱開口部１５は、押し板１０をレール部５に対し着脱させる際の入口又は出口となる部分である。
【００１９】
前出し器具３は、図１及び図２に示すように、押し板１０とばね１１とから構成される。押し板１０は、最後部に位置する商品４と当接し、ばね１１の力により商品４全体を前方へと加圧するものである。ばね１１は、巻きぐせが付けられた渦巻状の板ばねであり、図２及び図３に示すように、その巻回部１１ａが押し板１０の背面側に配されると共に、その一端部１１ｂがケース２のばね固定部７（図１参照）に固定されることにより、押し板１０を前方へと加圧する。
【００２０】
本実施例に係る押し板１０は、全体が樹脂製の材料からなる部材であり、図４に示すように、前面部２０、背面部２１、凸状部２２、レール摺接部２３、補強部２４、指掛け部２５、下片部２６、ばねガイド部２７を有して構成されている。前面部２０は、商品４と対面する面であり、この前面部２０のほぼ中央部に短手方向に沿って凸状部２２が形成されている。商品４の陳列時には、この凸状部２２が最後部の商品４と当接する。
【００２１】
レール摺接部２３は、ケース２に形成されたレール部５と係合する凹形状の部分であり、レール部５の上面側と摺接する上面摺接部３０と、レール部５の下面側と摺接する下面摺接部３１とを有している。下面摺接部３１は、図４（ｆ）に示すように、長手方向の幅ａが上面摺接部３０とほぼ同等の長さに形成されていると共に、短手方向の幅ｂが上面摺接部３０よりも短く形成されている。また、本実施例においては、レール摺接部２３は、図５に示すように、断面視でレール部５と点接触する形状となっており、更に図６（ａ）に示すように、両レール摺接部２３の対角線の長さｃが、レール部５の幅ｄよりも長く形成されている。尚、図６（ｂ）は、従来のレール摺接部２３'の形状を示すものであり、このレール摺接部２３'の対角線の長さｃ'は、レール部５の幅ｄ'とほぼ同等となっている。
【００２２】
この構成により、図７（ａ）に示すように、押し板１０がレール部５に対して傾く角度αが、図７（ｂ）に示す従来の構造における角度βよりも小さくなるので、レール摺接部２３とレール部５との間で傾いた時の復元量が小さくなり復元時間も短くなり、摩擦抵抗が均一化され軽減できる。また、図７（ｃ）に示すように、押し板１０の前倒れ角度γが、図７（ｄ）に示す従来の前倒れ角度Δよりも小さくなるので、前記角度αと同様の作用効果が得られる。
【００２３】
図４（ｄ）に示すように、補強部２４は、背面部２１に立設された２枚のほぼ扇状の部材であり、これら２枚の補強部２４の間に画成される空間３２に、上記したばね１１の巻回部１１ａが配置される。指掛け部２５は、それぞれの補強部２４から外側へ枠状に立設されたリブ３３により形成され、利用者が押し板１０を移動させる際の操作性を向上させるためのものである。下片部２６は、２枚の補強部２４間に画成された空間３２の下端近傍部に、背面部２１から立設された部分であり、その先端部分がばね１１と当接する上向力点部２６ａとなり、その下面がばね１１のずれを防ぐばねガイド部２７となっている。
【００２４】
この上向力点部２６ａは、ばね１１の巻き出し部１１ｄ（図１０参照）が当接する位置に形成されている。この巻き出し部１１ｄは、図１０に示すように、巻回部１１ａから直線部１１ｃの間の曲線形状を有する区間Ｌに相当し、上向きの圧力Ｆ1を発生する部分である。また、本実施例においては、ばねガイド部２７は、図５（ａ）に示すように、押し板１０の最下端部に形成された凹状部となっているが、図５（ｂ）に示すように、押し板１０の最下端部より上方に穿設された通孔２７'であってもよい。
【００２５】
上記押し板１０をレール部５に係合させる際には、先ず押し板１０をレール部５端部に形成された着脱開口部１５（図１参照）に嵌め込み、次いでレール部５と平行となるように回転させた後、レール部５内にスライドさせる。そして、ばね１１の巻回部１１ａを押し板１０の背面側の空間３２に載置し、ばね１１の先端部１１ｂに形成された孔をピン等の部材からなるばね固定部７により固定する。そして、巻回部１１ａからばね１１を繰り出しながら押し板１０をケース２の後端近傍部まで移動させ、図８に示すように、係止段差６に係止させ、ケース２内に商品４を並べた後、押し板１０を係止段差６から外す。これにより、商品４は前方へ加圧された状態で陳列される。
【００２６】
本構成においては、上記したように、押し板１０の下端部に形成された上向力点部２６ａがばね１１の巻き出し部１１ｄと当接するように形成されていることにより、図９に示すように、押し板１０全体を上方へ押し上げる力が働いている。図１０に示すように、ばね１１の先端部１１ｂが固定されていると共に巻回部１１ａが押し板１０の空間３２内に載置されている場合、直線部１１ｃを巻回部１１ａに巻き取ろうとする力のため、巻回部１１ａから直線部１１ｃまでの区間Ｌに相当する巻き出し部１１ｄには、上向きの圧力Ｆ1が発生する。この上向きの圧力Ｆ1を上向力点部２６ａが受けることにより、押し板１０全体がケース２に対して上方に押し上げられ、押し板１０とケース２底面の上面との摩擦抵抗を従来よりも軽減させることができる。
【００２７】
また、本構成においては、押し板１０に指掛け部２５が形成されていることにより、押し板１０を後方側へ移動させる際の操作性を向上させると共に、その時の摩擦抵抗を軽減することができる。この摩擦抵抗は、押し板１０が傾くと、押し板１０の端部とケース２とが強く当接するために大きくなる。図１１に示すように、押し板１０には、ばね１１により前方への圧力Ｆ2がかかることにより、商品４が充填されていない時には押し板１０は前傾した格好となる。そして、従来は、押し板１０を後方へ移動させる際に前面部２０と背面部２１を摘んで移動させていたため、後方側への圧力Ｆ3が上端近傍部に発生し、Ｆ2とＦ3の力点間の距離が大きくなり、押し板１０を傾斜させるモーメントが発生しやすい状況にあった。
【００２８】
そこで、本構成の指掛け部２５を利用することにより、押し板１０を後方へ移動させる圧力Ｆ4の力点が圧力Ｆ2の力点に近くなるため、押し板１０にかかるモーメントが従来よりも小さくなり、押し板１０の傾きがなくなり、押し板１０とケース２との摩擦抵抗が軽減される。この指掛け部２５は、圧力Ｆ4が押し板１０とケース２との接触点で考えた摩擦円錐Ｃ1の外側に発生するように、且つ圧力Ｆ2の力点と近くなるような位置、即ち補強部２４の下半分に形成されていることが好ましい。尚、摩擦円錐とは、２物体の接触面の法線から摩擦角分だけ傾いた線が描く円錐であり、３次元的に見て摩擦円錐より内側の方向から力を加えても滑りを生じない。
【００２９】
更に、本構成においては、図５に示すように、レール摺接部２３が、どのような姿勢にあっても断面視でレール部５と点接触する形状となっている。これにより、摩擦抵抗を軽減することができる。また、図１３と比較して図５では、レール部５側に三角形の突起が無く平坦になっており、その分相対的に商品４の搭載時の高さを低くする事ができ、上下方向の寸法を節約するのに役立っている。
【００３０】
更にまた、本構成においては、図１２に示すように、押し板１０の前面２０に凸状部２１が形成されていることにより、押し板１０に多少の傾きが生じてもこれを吸収してばね１１による前方への圧力Ｆ5をスムーズに商品４に伝達させることができると共に、圧力Ｆ5と商品４による圧力Ｆ6との力点が従来よりも近くなるので、押し板１０自身も少ない摩擦抵抗で摺動可能となる。このため、商品４の前出しがスムーズに行われ、また従来よりも力の小さい小型のばね１１を使用することが可能となる。また、この凸状部２１は、圧力Ｆ6が押し板１０とケース２との接触点で考えた摩擦円錐Ｃ2の外側にかかるように、且つＦ5の力点に近くなるような位置に形成されることが好ましい。
【００３１】
尚、本実施例においては、ケース２にレール部が一体に形成された構成を示したが、本発明はこれに限られるものではなく、例えば従来のように商品を収納するケースとレールとが別体の場合であっても、適応されるものである。また、レール部５がケース２の底面に形成された構成を示したが、本発明はこれに限られるものではなく、レール部５が、ケース２の側面や傾斜された底面に形成された場合であっても、適応されるものである。
【図面の簡単な説明】
【００３２】
【図１】本発明の実施例を示す斜視図である。
【図２】前出し器具の構造を示す斜視図である。
【図３】前出し器具の構造を示す側面図である。
【図４】（ａ）は押し板の正面図であり、（ｂ）は押し板の側面図であり、（ｃ）は押し板のＡ−Ａ断面図であり、（ｄ）は押し板の背面図であり、（ｅ）は押し板の上面図であり、（ｆ）は押し板の底面図である。
【図５】（ａ）は、本実施例における押し板のレール摺接部及びばね摺接部の構造を示す図であり、（ｂ）は、他の実施例における押し板のレール摺接部及びばね摺接部の構造を示す図である。
【図６】（ａ）は、本実施例における押し板のレール摺接部の対角線の長さとレール部の幅との関係を示す図であり、（ｂ）は、従来における押し板のレール摺接部の対角線の長さとレール部の幅との関係を示す図である。
【図７】（ａ）は本考案において押し板がレール部に係合している状態を示す図であり、（ｂ）は従来構造において押し板がレール部に係合している状態を示す図であり、（ｃ）は本考案において押し板がレール部に係合している状態を示す図であり、（ｄ）は従来構造において押し板がレール部に係合している状態を示す図である。
【図８】押し板を係止段差に係止させた状態を示す図である。
【図９】押し板に作用するばねの圧力の方向を示す図である。
【図１０】ばねが発生させる圧力の方向を説明するための図である。
【図１１】指掛け部の作用を説明するための図である。
【図１２】凸状部の作用を説明するための図である。
【図１３】従来構造におけるばねの貫通構造を示す図である。
【符号の説明】
【００３３】
１ 商品前出し陳列装置
２ ケース
３ 前出し器具
４ 商品
５ レール部
６ 係止段差
７ ばね固定部
１０ 押し板
１１ ばね
１１ａ 巻回部
１１ｂ 一端部
１１ｄ 巻き出し部
２２ 凸状部
２３ レール摺接部
２５ 指掛け部
２６ａ 上向力点部
【図１】
0004395843.tif 000002
【図２】
0004395843.tif 000003
【図３】
0004395843.tif 000004
【図４】
0004395843.tif 000005
【図５】
0004395843.tif 000006
【図６】
0004395843.tif 000007
【図７】
0004395843.tif 000008
【図８】
0004395843.tif 000009
【図９】
0004395843.tif 000010
【図１０】
0004395843.tif 000011
【図１１】
0004395843.tif 000012
【図１２】
0004395843.tif 000013
【図１３】
0004395843.tif 000014